(57)【要約】【課題】  コストアップにならずに、小型化、薄型化を可能とする光ディスク装置を提供する。【解決手段】  筐体（１）と基板（７）とを有し、光ディスク（１１０）を載置可能とし筐体の開口部（１ｂ）に対して排出／挿入のローディング動作が行われるトレイ（３）と、光ディスクを支持するターンテーブル（１１），ターンテーブルを回転させるモータ（１２）及び光ディスクに対して記録または再生を行う光ピックアップ（１３）を有するシャーシ部（１０）とを、筐体の内部に備え、シャーシ部を、一端側を支点（Ｒ）として回動しトレイのローディング動作時にその経路から退避してローディング方向（Ｄ１）に対して傾斜して待機する構成にし、筐体のシャーシ部に対向する面をシャーシ部の待機時の傾斜に沿った傾斜面（１ａ２）にすると共に、基板を、傾斜面の外側に、その面に沿って取付けた。【選択図】      図１
2006244576.tif 000002
【特許請求の範囲】
【請求項１】
筐体と、
前記筐体の外側に取り付けられた基板と、
光ディスクを載置可能とし、ローディング手段により前記筐体に設けられた開口部に対して排出及び挿入のローディング動作が行われるディスクトレイと、
前記光ディスクを支持するターンテーブル，このターンテーブルを回転させるモータ及び前記光ディスクに対して記録または再生を行う光ピックアップを有するシャーシ部とを、前記筐体の内部に備え、
前記シャーシ部は、その一端側を支点として回動し、前記トレイの前記ローディング動作時に、その動作経路から退避して前記ローディング動作の動作方向に対して傾斜した状態で待機する構成とされ、
前記筐体における前記シャーシ部に対向する面を、前記シャーシ部の待機時の傾斜に沿った傾斜面部にすると共に、前記基板を、前記傾斜面部の外側に、その傾斜面部に沿って取り付けて成ることを特徴とする光ディスク装置。
【発明の詳細な説明】
【技術分野】
【０００１】
本発明は、光ディスク装置に係り、特に、回路基板を傾斜配置して薄型化を可能にした光ディスク装置に関する。
【背景技術】
【０００２】
従来、装置本体に対して挿入／排出されるディスクトレイを備え、このトレイに載置されたＤＶＤ（Ｄｉｇｉｔａｌ  Ｖｅｒｓａｔｉｌｅ  Ｄｉｓｃ）等の光ディスクに対して挿入位置で記録または再生を行う光ディスク装置が知られており、例えば、特許文献１に記載されたディスク装置がある。
また、このようなディスク装置において、挿入／排出のローディング動作時に、そのローディング経路上からターンテーブル等のディスク保持手段，モータ及び光ピックアップ等を搭載したメカシャーシを、その一端側を支点として回動させることにより退避させる構成が、特許文献２に開示されている。
【特許文献１】特開平９−４５０６８号公報
【特許文献２】特開２００２−３０４７９６号公報
【発明の開示】
【発明が解決しようとする課題】
【０００３】
ところで、近年、ディスク装置に対して省スペース化が強く要望されている。特に、厚さ寸法については、できるだけ薄い装置が期待されている。
そこで、上述した特許文献１のディスク装置においては、小型薄型化を図るために搭載する回路基板を分割し、ローディング動作に影響のない位置にそれぞれ配置する構成が記載されている。
しかしながら、この構成では、基板とメカシャーシとを平面的に配置するため、薄型化は充分に可能であるが幅と奥行きとを小さくすることに限界があった。
また、分割した基板間を電気的に連結するワイヤ等の接続部品が必要になり、さらに、基板を固定するねじの数や基板を固定する工数も増加し、コストアップになるという問題があった。
【０００４】
また、特許文献２のような、メカシャーシをローディング動作の経路から回動動作により退避させる構成の光ディスク装置においては、基板を、ブラケットを介しケースに対して水平に配置していたので、幅と奥行きとを小さくすることは可能であるが薄型化には限界があった。
これについて、図３を用いて説明する。
【０００５】
図３は、特許文献２に記載されたような従来の光ディスク装置を説明する概略断面図である。
この装置は、ターンテーブル２１１を回転させるモータ２１２と、光ピックアップ２１３とを備えたメカシャーシ２１０を有し、そのメカシャーシ２１０を、ディスクトレイ２０３のローディング動作中は、支点Ｒ回りに回動させてローディング経路から退避させる構成にしたものである。図３は、その退避状態を示している。
【０００６】
この退避状態において、メカシャーシ２１０は傾斜した状態となるので、この装置のケース２０１の底面２０１ｂは、その傾斜に沿って傾斜面２０１ｂ２を有している（特許文献２も参照）。
そして、基板２０７は、ケース２０１の底面２０１ｂにブラケット２０４を介して水平方向に配置されている。
そのため、この光ディスク装置２００の厚さＨ２を小さくするには限界があり、
薄型化を優先させる場合は、止むを得ず基板２０７を分割しなければならない。
従って、その場合は、上述した特許文献１と同様の問題が生じてしまう。
【０００７】
そこで、本発明が解決しようとする課題は、コストアップにならずに、小型化、薄型化を可能とする光ディスク装置を提供することにある。
【課題を解決するための手段】
【０００８】
上記の課題を解決するために、本願発明は手段として次の構成を有する。
すなわち、光ディスク装置（１００）を、筐体（１）と、前記筐体（１）の外側に取り付けられた基板（７）と、光ディスク（１１０）を載置可能とし、ローディング手段により前記筐体（１）に設けられた開口部（１ｂ）に対して排出及び挿入のローディング動作が行われるディスクトレイ（３）と、前記光ディスク（１１０）を支持するターンテーブル（１１），このターンテーブル（１１）を回転させるモータ（１２）及び前記光ディスク（１１０）に対して記録または再生を行う光ピックアップ（１３）を有するシャーシ部（１０）とを、前記筐体（１）の内部に備え、前記シャーシ部（１０）は、その一端側を支点（Ｒ）として回動し、前記ディスクトレイ（３）の前記ローディング動作時に、その動作経路から退避して前記ローディング動作の動作方向（Ｄ１）に対して傾斜した状態で待機する構成とされ、前記筐体（１）における前記シャーシ部（１０）に対向する面を、前記シャーシ部（１０）の待機時の傾斜に沿った傾斜面部（１ａ２）にすると共に、前記基板（７）を、前記傾斜面部（１ａ２）の外側に、その傾斜面部（１ａ２）に沿って取り付けて成る構成にした。
【発明の効果】
【０００９】
本発明によれば、回路基板を分割することなく、退避状態の傾斜したメカシャーシに沿って傾斜配置させているので、コストアップにならずに装置を小型及び薄型にすることができるという効果を奏する。
【発明を実施するための最良の形態】
【００１０】
本発明の実施の形態を、好ましい実施例により図１〜図２を用いて説明する。
図１は、本発明の光ディスク装置の実施例におけるローディング状態を示す断面図である。
図２は、本発明の光ディスク装置の実施例におけるディスク回転動作状態を示す断面図である。
【００１１】
実施例の光ディスク装置について、図１及び図２を用いて説明する。
この光ディスク装置１００は、上面が開放された箱状のケース１と、その上面を覆いケース１に固定された天板２とを筐体として有している。ケース１及び天板２は、熱可塑性樹脂を射出成形して形成される。
【００１２】
ケース１の内部には、ディスクトレイ３，メカシャーシ１０，及びこのメカシャーシ１０の昇降機構１４が収納されている。
ディスクトレイ３は、図示しないローディング機構により、ケース１の開口部１ｂに対して図の矢印Ｄ１方向に排出及び挿入される。
このディスクトレイ３には略円形の凹部３ａが形成されており、この凹部３ａにはディスクトレイ３の排出時に光ディスク１１０が載置される。そして、この光ディスク１１０は、ディスクトレイ３の挿入動作により内部の所定位置に装填される。
【００１３】
メカシャーシ１０は、金属の薄板のプレス加工により形成され、ターンテーブル１１を回転駆動するモータ１２と光ピックアップ１３とが取り付けられている。
このメカシャーシ１０は、ディスクトレイ３のローディング動作中、その動作経路を妨げないように図１のように下方に退避している。メカシャーシ１０のこの退避位置を第１の位置と称することにする。
そして、ローディング動作が完了し、ディスクトレイ３が挿入（完了）状態になると、図２に示すように、メカシャーシ１０は、回動支点Ｒを中心に上方の所定位置まで回動し、光ディスク３に対する記録または再生が可能となる（図２参照）。メカシャーシ１０のこの記録再生位置を第２の位置と称することにする。
【００１４】
メカシャーシ１０の第２の位置において、ターンテーブル１１は、光ディスク１１０の中心孔１１０ａと係合し、この光ディスク１１０の下面１１０ｂ側をディスクトレイ３から離隔させて支持する。
一方、光ディスク１１０の上面側は、天板２に設けられたクランパ５に支持される。このクランパ５は、天板２に対して回転自在とされているので、モータ１２の駆動により、光ディスク１１０は、ターンテーブル１１とクランパ５とにより挟持されながら回転する。
【００１５】
光ピックアップ１３は、メカシャーシ１０に搭載された駆動装置（図示せず）により、光ディスク１１０の径方向に移動可能とされる。
【００１６】
メカシャーシ１０の回動支点Ｒ側にはシャフトＳが設けられ、このシャフトＳがケース１側に設けられた穴と嵌合してメカーシャーシ１０は回動可能とされているが、この構成に限らず、メカシャーシ１０の回動支点Ｒ側端部とケース１とを、金属薄板等で連結するようにしてもよい。
この場合でも、メカシャーシ１０の回動角度が比較的小さいので、この金属薄板の変形により、シャフトＳを用いた軸回りの回動と同様の回動動作が可能である。
以上から、メカシャーシ１０は、退避位置である第１の位置において傾斜状態となっている。
そのため、ケース１の底面１ａは、開口部１ｂに近い側の水平面１ａ１と、開口部１ｂから遠い側のメカシャーシ１０の傾斜に沿った傾斜面１ａ２とを有して形成されている。
【００１７】
ここで、この水平面１ａ１は、ディスクトレイ３のローディング動作方向Ｄ１と略平行となる面であることを意味するものであり、光ディスク装置の配置によっては、必ずしも絶対的な水平とならない場合があるが、ここでは便宜的に水平面と称している。
【００１８】
ケース１における底面１ａ（外側）には、水平面１ａ１と傾斜面１ａ２とに跨って、ブラケット４が配置され、ケース１に対してねじ６ａにより固定されている。
このブラケット４は、開口部１ｂ側とその反対側と（以下、前方側と後方側と称する場合がある）が分離していてもよく、また、一体となっていてもよいものである。このブラケット４は、金属薄板をプレス加工して形成される。
【００１９】
回路基板７は、その前方側がブラケット４にねじ６ｂで固定され、後方側は、ブラケット４に形成された切り込み４ａに係合して支持される。
この回路基板７におけるケース１とは反対側の面には、発熱量の多い集積回路７ａ等の電子部品が搭載されている。
【００２０】
この構成において、回路基板７は、ケース１の底面１ａの傾斜面１ａ２に沿って傾斜配置されているので、光ディスク装置１１０の高さ寸法Ｈ１をより小さくでき、光ディスク装置１００自体を極めて薄型化することができる。
また、回路基板７を分割することなく、メカシャーシ１０と重ねて配置されているので、分割した基板間を接続するワイヤ等が不要であると共に、締結するねじ等も少ないので、コストアップとならず、また、光ディスク装置の幅と奥行きが大きくなることがない。
【００２１】
また、ケース１の底面１ａの後方側に、図１で示したような断面が三角の空間領域ＳＫが空きスペースとして得られるので、この光ディスク装置１００を搭載したセット側の部品レイアウトの効率化が図れ、そのセットを小さくすることできる。
【００２２】
また、回路基板７が傾斜していることから、回路パターンや搭載した部品７ａ等から発生した熱は、この熱自身によって対流を起こし易くなっており、この傾斜に沿って生じる空気対流ＴＡにより外部に効率良く放散される（図２参照）。
従って、この光ディスク装置の温度上昇は、極めて効果的に抑制される。
【００２３】
本発明の実施例は、上述した構成及び手順に限定されるものではなく、本発明の要旨を逸脱しない範囲において変形例としてもよいのは言うまでもない。
【図面の簡単な説明】
【００２４】
【図１】本発明の光ディスク装置の実施例におけるローディング状態を示す断面図である。
【図２】本発明の光ディスク装置の実施例におけるディスク回転動作状態を示す断面図である。
【図３】従来の光ディスク装置を説明する断面図である。
【符号の説明】
【００２５】
１  ケース
１ａ  底面
１ａ１  水平面
１ａ２  傾斜面
１ｂ  開口部
２  天板
３  ディスクトレイ
３ａ  凹部
４  ブラケット
５  クランパ
６  ねじ
７  回路基板
１０  メカシャーシ
１１  ターンテーブル
１２  モータ
１３  光ピックアップ
１４  昇降機構
１００  光ディスク装置
１１０  光ディスク
１１０  中心孔
Ｒ  回動支点
Ｓ  シャフト
【図１】
2006244576.tif 000003
【図２】
2006244576.tif 000004
【図３】
2006244576.tif 000005